(57)【要約】【課題】本発明の課題は、ドライダウンした印刷製品と、視覚的な色の一致が得られる校正紙を作成するドライダウン対応型校正システム、方法を提供することである。【解決手段】印刷直後のカラーチャートとドライダウンした印刷カラーチャートと校正カラーチャートの測色データを用いて、測色データをドライダウン用測色データに変換するドライダウン補正関数を作成するドライダウン補正関数作成手段と、印刷デバイスプロファイルを参照して、製版データを測色データに変換する測色データ作成手段と、前記ドライダウン補正関数を用いて、前記測色データをドライダウン用測色データに変換するドライダウン用測色データ作成手段と、校正デバイスプロファイルを用いて、前記ドライダウン用測色データからドライダウン用の製版データを作成するドライダウン用の製版データ作成手段と、を備えるドライダウン対応型校正システムである。【選択図】図１
2007176015.tif 000002
【特許請求の範囲】
【請求項１】
ドライダウン対応ツール作成装置とドライダウン対応型校正装置とがネットワークで接続されて構成されるドライダウン対応型校正システムであって、
前記ドライダウン対応ツール作成装置は、
印刷直後のカラーチャートを測色した測色データと、
ドライダウンしたカラーチャートを測色した測色データと、
校正カラーチャートを測色した測色データと、
カラーチャートの基準測色データを含むカラーチャート基準データと、
製版の網点データと印刷装置の色特性に適合させた測色データと印刷装置の色特性に適合させた網点データとを対応させた印刷デバイスプロファイルと、
製版の網点データと色特性に適合させた測色データと校正装置の色特性に適合させた網点データとを対応させた校正デバイスプロファイルと、
を記憶する記憶手段と、
カラーチャートを分光測定して、測色データを作成する分光測定手段と、
カラーチャートの測色データと、カラーチャート基準データとを取得して、デバイスプロファイルを作成するデバイスプロファイル作成手段と、
印刷直後のカラーチャートの測色データと、ドライダウンしたカラーチャートの測色データと、から、ドライダウン補正関数を作成するドライダウン補正関数作成手段と、
前記作成されたドライダウン補正関数と、前記デバイスプロファイル作成手段にて作成された印刷デバイスプロファイルと校正デバイスプロファイルと、を送信するツール送信手段と、
を備えるツール作成装置であって、
前記ドライダウン対応型校正装置は、
網点データを含む製版データと、
前記印刷デバイスプロファイルと前記校正デバイスプロファイルと、
前記ドライダウン補正関数と、
を記憶する記憶手段と、
前記送信されたドライダウン補正関数と印刷デバイスプロファイルと校正デバイスプロファイルとを受信するツール受信手段と、
製版データを受信する製版データ受信手段と、
製版データを取得して、前記印刷デバイスプロファイルを参照して、この製版データを測色データに変換する測色データ作成手段と、
ドライダウン補正関数を用いて、前記測色データをドライダウン用測色データに変換するドライダウン用測色データ作成手段と、
前記校正デバイスプロファイルを用いて、前記ドライダウン用測色データからドライダウン用の製版データを作成するドライダウン用の製版データ作成手段と、
製版データを取得して、校正紙を印刷する校正紙作成手段と、
を備えるドライダウン対応型校正装置である、
ことを特徴とするドライダウン対応型校正システム。
【請求項２】
網点データを含む製版データと、
前記印刷デバイスプロファイルと前記校正デバイスプロファイルと、
ドライダウン補正関数と、
を記憶する記憶手段と、
製版データを取得して、印刷デバイスプロファイルを参照して、この製版データを測色データに変換する測色データ作成手段と、
ドライダウン補正関数を用いて、前記測色データをドライダウン用測色データに変換するドライダウン用測色データ作成手段と、
校正デバイスプロファイルを用いて、前記ドライダウン用測色データからドライダウン用の製版データを作成するドライダウン用の製版データ作成手段と、
製版データを取得して、校正紙を印刷する校正紙作成手段と、
を備えることを特徴とするドライダウン対応型校正装置。
【請求項３】
印刷直後のカラーチャートを測色した測色データと、
ドライダウンしたカラーチャートを測色した測色データと、
校正カラーチャートを測色した測色データと、
カラーチャートの基準測色データを含むカラーチャート基準データと、
製版の網点データと印刷装置の色特性に適合させた測色データと印刷装置の色特性に適合させた網点データとを対応させた印刷デバイスプロファイルと、
製版の網点データと色特性に適合させた測色データと校正装置の色特性に適合させた網点データとを対応させた校正デバイスプロファイルと、
を記憶する記憶手段と、
カラーチャートを分光測定して、測色データを作成する分光測定手段と、
カラーチャートの測色データと、カラーチャート基準データとを取得して、デバイスプロファイルを作成するデバイスプロファイル作成手段と、
印刷直後のカラーチャートの測色データと、ドライダウンしたカラーチャートの測色データと、から、ドライダウン補正関数を作成するドライダウン補正関数作成手段と、
備えることを特徴とするドライダウン対応ツール作成装置。
【請求項４】
網点データを含む製版データと、
カラーチャートを測色した測色データと、
カラーチャートの基準測色データを含むカラーチャート基準データと、
網点データと測色データとを対応させたデバイスプロファイルと、
を用いるドライダウン対応型校正方法であって、
カラーチャートを分光測定して、測色データを作成する分光測定ステップと、
カラーチャートの測色データと、カラーチャート基準データとを取得して、デバイスプロファイルを作成するデバイスプロファイル作成ステップと、
印刷直後のカラーチャートの測色データと、ドライダウンしたカラーチャートの測色データと、から、ドライダウン補正関数を作成するドライダウン補正関数作成ステップと、
製版データを取得して、前記印刷デバイスプロファイルを用いて、この製版データを測色データに変換する測色データ変換ステップと、
ドライダウン補正関数を用いて、前記測色データをドライダウン用測色データに変換するドライダウン用測色データ変換ステップと、
前記校正デバイスプロファイルを用いて、前記ドライダウン用測色データからドライダウン用の製版データを作成するドライダウン用の製版データ作成ステップと、
製版データを取得して、校正紙を印刷するドライダウン用校正紙作成ステップと、
を含んだ手順でなされることを特徴とするドライダウン対応型校正方法。
【請求項５】
コンピュータに組込むことによって、コンピュータを請求項１から、請求項３のいずれか１項に記載のドライダウン対応型校正システム、または、ドライダウン対応型校正装置、または、ドライダウン対応ツール作成装置として動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、印刷製品のドライダウンを考慮した、ドライダウンした印刷発色の校正紙を作成する校正システム、および、校正方法に関するものである。
【背景技術】
【０００２】
従来から、製版工程では、ドライダウンした印刷製品の色と、校正紙の色と、が一致するように、ドライダウン対応型校正装置の製版データの色情報を補正処理して、ドライダウンした印刷色の校正紙を作成している。
【０００３】
たとえば、特許文献１には、ドライダウンした印刷の測定値を基準値として定めて、ドライダウン前の印刷物の測色値を用いて、ノイゲバウアー式を用いて近似計算して、基準値と比較して、条件を満たしているか否かを判定する技術が開示されている。（従来技術１）
【特許文献１】特許３６６１２３０号公報（１３−１４頁、図１６）
【発明の開示】
【発明が解決しようとする課題】
【０００４】
ところで、現在のデジタル製版工程では、ＩＣＣプロファイルを用いて、製版データの色補正処理を行っていているが、特許文献１では、ＩＣＣプロファイルに対応していないために、通常の作業形態になじまないという欠点があった。さらには、ＩＣＣプロファイルとは異なる特別の色補正処理用データを用いた作業手順を用いなければならず、作業内容が煩雑になるという問題点があった。
【０００５】
ここで、ＩＣＣプロファイルとは、ＩＣＣ（International Color Consortium）が提唱するファイル構造に沿って作成された電子データである。デバイスプロファイルと称するＩＣＣプロファイルは、その内部に、デバイス（たとえば、印刷装置やドライダウン対応型校正装置）に依存する色材量（ＣＭＹＫで定義した値：以下ＣＭＹＫ値、あるいは、ＲＧＢで定義した値）と、デバイスに依存しない測色値（ＣＩＥ Ｌ*ａ*ｂ*の値：以下Ｌ*Ａ*Ｂ*値、あるいは、ＣＩＥ ＸＹＺの値）との対応関係を表す２つのテーブル、ＣＭＹＫ値からＬ*Ａ*Ｂ*値への色変換テーブルと、Ｌ*Ａ*Ｂ*値からＣＭＹＫ値への色変換テーブルとを、備える。
【０００６】
本発明は、このような従来技術を考慮してなされたものであって、本発明の課題は、カラー校正作業において、デジタルドライダウン対応型校正装置による校正紙と、ドライダウンした印刷製品と、に視覚的な色の一致が得られように、色補正処理を備えるデジタルドライダウン対応型校正装置、および、方法を提供することである。
【課題を解決するための手段】
【０００７】
本発明は、以下のような解決手段により、前記課題を解決する。すなわち、請求項１に記載の発明は、ドライダウン対応ツール作成装置とドライダウン対応型校正装置とがネットワークで接続されて構成されるドライダウン対応型校正システムであって、前記ドライダウン対応ツール作成装置は、印刷直後のカラーチャートを測色した測色データと、ドライダウンしたカラーチャートを測色した測色データと、校正カラーチャートを測色した測色データと、カラーチャートの基準測色データを含むカラーチャート基準データと、製版の網点データと印刷装置の色特性に適合させた測色データと印刷装置の色特性に適合させた網点データとを対応させた印刷デバイスプロファイルと、製版の網点データと色特性に適合させた測色データと校正装置の色特性に適合させた網点データとを対応させた校正デバイスプロファイルと、を記憶する記憶手段と、カラーチャートを分光測定して、測色データを作成する分光測定手段と、カラーチャートの測色データと、カラーチャート基準データとを取得して、デバイスプロファイルを作成するデバイスプロファイル作成手段と、印刷直後のカラーチャートの測色データと、ドライダウンしたカラーチャートの測色データと、から、ドライダウン補正関数を作成するドライダウン補正関数作成手段と、前記作成されたドライダウン補正関数と、前記デバイスプロファイル作成手段にて作成された印刷デバイスプロファイルと校正デバイスプロファイルと、を送信するツール送信手段と、を備えるツール作成装置であって、前記ドライダウン対応型校正装置は、網点データを含む製版データと、前記印刷デバイスプロファイルと前記校正デバイスプロファイルと、ドライダウン補正関数と、を記憶する記憶手段と、前記送信されたドライダウン補正関数と印刷デバイスプロファイルと校正デバイスプロファイルとを受信するツール受信手段と、製版データを受信する製版データ受信手段と、製版データを取得して、前記印刷デバイスプロファイルを参照して、この製版データを測色データに変換する測色データ作成手段と、ドライダウン補正関数を用いて、前記測色データをドライダウン用測色データに変換するドライダウン用測色データ作成手段と、前記校正デバイスプロファイルを用いて、前記ドライダウン用測色データからドライダウン用の製版データを作成するドライダウン用の製版データ作成手段と、製版データを取得して、校正紙を印刷する校正紙作成手段と、を備えるドライダウン対応型校正装置であることを特徴とするドライダウン対応型校正システムである。
【０００８】
ここで、印刷デバイスプロファイルと校正デバイスプロファイルとは、ＩＣＣプロファイルである。ＩＣＣプロファイルの2つの色変換テーブルを用いることで、ＣＭＹＫ値を、ＬＡＢ値を経由させて、デバイスの色特性に適合させたＣＭＹＫ値に色変換することができる。このとき、本発明においては、経由するＬ*Ａ*Ｂ*値に加工処理を施している。つまり、製版データ（ＣＭＹＫ値）は、印刷デバイスプロファイルの色変換テーブルを参照して、測色データ（Ｌ*Ａ*Ｂ*値）に変換する。次に、この測色データ（Ｌ*Ａ*Ｂ*値）にドライダウン加工処理を施す。最後に、ドライダウン加工処理した測色データ（Ｌ*Ａ*Ｂ*値）を、校正デバイスプロファイルの色変換テーブルを参照して、校正装置の色特性に適合させたＣＭＹＫ値に色変換することができる。したがって、ドライダウン対応型校正装置は、製版データから、ドライダウンした印刷物と同じ発色のドライダウン用校正紙を印刷することができる。
【０００９】
請求項２に記載の発明は、網点データを含む製版データと、前記印刷デバイスプロファイルと前記校正デバイスプロファイルと、ドライダウン補正関数と、を記憶する記憶手段と、製版データを取得して、印刷デバイスプロファイルを参照して、この製版データを測色データに変換する測色データ作成手段と、ドライダウン補正関数を用いて、前記測色データをドライダウン用測色データに変換するドライダウン用測色データ作成手段と、校正デバイスプロファイルを用いて、前記ドライダウン用測色データからドライダウン用の製版データを作成するドライダウン用の製版データ作成手段と、製版データを取得して、校正紙を印刷する校正紙作成手段と、を備えることを特徴とするドライダウン対応型校正装置である。
【００１０】
請求項３に記載の発明は、印刷直後のカラーチャートを測色した測色データと、ドライダウンしたカラーチャートを測色した測色データと、校正カラーチャートを測色した測色データと、カラーチャートの基準測色データを含むカラーチャート基準データと、製版の網点データと印刷装置の色特性に適合させた測色データと印刷装置の色特性に適合させた網点データとを対応させた印刷デバイスプロファイルと、製版の網点データと色特性に適合させた測色データと校正装置の色特性に適合させた網点データとを対応させた校正デバイスプロファイルと、を記憶する記憶手段と、カラーチャートを分光測定して、測色データを作成する分光測定手段と、カラーチャートの測色データと、カラーチャート基準データとを取得して、デバイスプロファイルを作成するデバイスプロファイル作成手段と、印刷直後のカラーチャートの測色データと、ドライダウンしたカラーチャートの測色データと、から、ドライダウン補正関数を作成するドライダウン補正関数作成手段と、備えることを特徴とするドライダウン対応ツール作成装置である。
【００１１】
請求項４に記載の発明は、網点データを含む製版データと、カラーチャートを測色した測色データと、カラーチャートの基準測色データを含むカラーチャート基準データと、網点データと測色データとを対応させたデバイスプロファイルと、を用いるドライダウン対応型校正方法であって、カラーチャートを分光測定して、測色データを作成する分光測定ステップと、カラーチャートの測色データと、カラーチャート基準データとを取得して、デバイスプロファイルを作成するデバイスプロファイル作成ステップと、印刷直後のカラーチャートの測色データと、ドライダウンしたカラーチャートの測色データと、から、ドライダウン補正関数を作成するドライダウン補正関数作成ステップと、製版データを取得して、前記印刷デバイスプロファイルを用いて、この製版データを測色データに変換する測色データ変換ステップと、ドライダウン補正関数を用いて、前記測色データをドライダウン用測色データに変換するドライダウン用測色データ変換ステップと、前記校正デバイスプロファイルを用いて、前記ドライダウン用測色データからドライダウン用の製版データを作成するドライダウン用の製版データ作成ステップと、製版データを取得して、校正紙を印刷するドライダウン用校正紙作成ステップと、を含んだ手順でなされることを特徴とするドライダウン対応型校正方法である。
【００１２】
請求項５に記載の発明は、コンピュータに組込むことによって、コンピュータを請求項１から、請求項３のいずれか１項に記載のドライダウン対応型校正システム、または、ドライダウン対応型校正装置、または、ドライダウン対応ツール作成装置として動作させるコンピュータプログラムである。
【００１３】
請求項６に記載の発明は、請求項５に記載のコンピュータプログラムを記録したコンピュータ読取り可能な記録媒体である。
【発明の効果】
【００１４】
本願発明によれば、ＩＣＣプロファイルを用いたドライダウン対応型校正装置を用いて、ドライダウン用校正紙を、容易簡便に、作成できる。
【発明を実施するための最良の形態】
【００１５】
以下、図面等を参照しながら、本発明の実施の形態について、更に詳しく説明する。
図１は、本発明のドライダウンする印刷物の校正をするドライダウン対応型校正システムの大まかな構成の説明図である。
ドライダウン対応型校正システム１は、ドライダウン対応ツール作成装置１００とドライダウン対応型校正装置３００とＤＴＰ装置５００と印刷装置７００とが、ネットワーク９００で接続されて構成されている。
【００１６】
ドライダウン対応ツール作成装置１００は、印刷デバイスプロファイル１９７と校正デバイスプロファイル１９５とドライダウン補正関数１９９とを作成して、送信する。
ドライダウン対応型校正装置３００は、印刷デバイスプロファイル１９７とドライダウン補正関数１９９と校正デバイスプロファイル１９５とを保持して、製版データ５９９を、受信して、印刷校正紙３９９ａ、または、ドライダウン用校正紙３９９ｂを作成する。
【００１７】
ＤＴＰ装置５００は、製版データ５９９を作成して、送信する。
印刷装置７００は、印刷デバイスプロファイル７９１を保持して、製版データ５９９を受信して、印刷物７９９を作成する。
印刷校正紙３９９ａと印刷直後の印刷物７９９とは、同じ発色である。
ドライダウン用校正紙３９９ｂとドライダウンした印刷物７９９とは、同じ発色である。
【００１８】
図２は、ドライダウン色補正システム大まかな処理の流れを説明する図である。印刷機７００は、印刷デバイスプロファイルを参照しないで、印刷カラーチャート７９９を印刷する（図２（ア））。ドライダウン対応ツール作成装置１００は、印刷直後の印刷カラーチャート７９９を測色して、測色データ１９３を作成して、印刷デバイスプロファイル１９７を作成する。（図２（イ））。
【００１９】
校正機３００は、校正デバイスプロファイル１９５を参照しないで、校正カラーチャート３９９を印刷する（同（カ））。ドライダウン対応ツール作成装置１００は、校正カラーチャート３９９を測色して、測色データ１９３を作成して、校正デバイスプロファイル１９５を作成する（同（キ））。
【００２０】
ドライダウン対応ツール作成装置１００は、印刷直後の印刷カラーチャート７９９の測色データとドライダウンした印刷カラーチャートの測色データを用いて、ドライダウン補正関数１９９を作成する（同（サ））。作成した印刷プロファイル１９７と校正デバイスプロファイル１９５とドライダウン補正関数１９９をドライダウン対応型校正装置３００に送信する（同（タ））。ドライダウン対応型校正装置３００は、印刷プロファイル１９７と校正デバイスプロファイル１９５とドライダウン補正関数１９９を受信して、これを登録する（同（ナ））。
【００２１】
ドライダウン対応型校正装置３００は、製版データ５９９を受信して、印刷直後の印刷物と同じ発色になる印刷校正紙３９９ａを印刷する。また、ドライダウン対応型校正装置３００は、印刷プロファイル１９７と校正デバイスプロファイル１９５とドライダウン補正関数１９９と受信した製版データ５９９を用いて、ドライダウンした印刷物と同じ発色のドライダウン用校正紙３９９ｂを作成する（同（ハ））。
【００２２】
なお、印刷校正紙３９９ａは、たとえば、印刷装置７００直後の印刷物の校正に用いる。ドライダウン用校正紙３９９ｂは、たとえば、納入して、ドライダウンしている印刷物の校正に用いる。
【００２３】
図３は、本発明によるドライダウン対応型校正システムの詳細な構成図である。ドライダウン対応型校正システム１は、ドライダウン対応ツール作成装置１００とドライダウン対応型校正装置３００とがネットワークで接続されて構成される。ドライダウン対応ツール作成装置１００は、分光測定手段１３０と、デバイスプロファイル作成手段１１０と、ドライダウン補正関数作成手段１２０と、ツール送信手段１７０と、記憶手段１９０と、を備える。記憶手段１９０は、製版データ５９９と、測色データ１９３と、カラーチャート基準データ１９１と、校正デバイスプロファイル１９５と、印刷デバイスプロファイル１９７と、ドライダウン補正関数１９９と、を記憶する。
【００２４】
製版データ５９９は、ＹＭＣＫ値の網点データである。測色データ１９３は、カラーチャートを測色したＬ*Ａ*Ｂ*値である。カラーチャート基準データは、カラーチャートの基準測色データ（基準Ｌ*Ａ*Ｂ*値）である。校正デバイスプロファイル１９５は、製版データの網点データ（ＹＭＣＫ値）とドライダウン対応型校正装置の測色データ（Ｌ*Ａ*Ｂ*値）とドライダウン対応型校正装置の網点データ（ＹＭＣＫ値）を対応させたデータである。印刷デバイスプロファイル１９７は、製版データの網点データ（ＹＭＣＫ値）と印刷装置の測色データ（Ｌ*Ａ*Ｂ*値）とを対応させたデータである。ドライダウン補正関数１９９は、数式である。
【００２５】
分光測定段１３０は、カラーチャート７９９を分光測定して、測色データ１９３を作成する。
【００２６】
デバイスプロファイル作成手段１１０は、カラーチャートの測色データ１９３と、カラーチャート基準データ１９１とを取得して、デバイスプロファイルを作成する。詳細には、デバイスプロファイル作成手段１１０は、印刷装置で印刷した直後のカラーチャートから作成した測色データ１９３とカラーチャート基準データとを取得して、印刷デバイスプロファイル１９７を作成する。同様にして、デバイスプロファイル作成手段１１０は、ドライダウン対応型校正装置で印刷したカラーチャートから作成した測色データ１９３とカラーチャート基準データとを取得して、校正デバイスプロファイル１９５を作成する。
【００２７】
ドライダウン補正関数作成手段１２０は、印刷直後のカラーチャートの測色データ１９３と、ドライダウンしたカラーチャートの測色データ１９３とを用いて、ドライダウン前の測色データ１９３からドライダウンした測色データ１９３を算出するドライダウン補正関数１９９を作成する。ツール送信手段１７０は、作成した印刷デバイスプロファイル１９７と校正デバイスプロファイル１９５とドライダウン補正関数１９９を送信する。
【００２８】
分光測定手段１３０と、デバイスプロファイル作成手段１１０と、ドライダウン補正関数作成手段１２０と、ツール送信手段１７０と、は、コンピュータプログラムである。製版データ５９９と、測色データ１９３と、カラーチャート基準データと、校正デバイスプロファイル１９５と、印刷デバイスプロファイル１９７と、ドライダウン補正関数１９９と、は、コンピュータが可読なデータである。記憶手段１９０は、メモリである。
【００２９】
ドライダウン対応型校正装置３００は、ツール受信手段３１０と、測色データ作成手段３２２と、ドライダウン用測色データ作成手段３２４と、ドライダウン用の製版データ作成手段３２６と、記憶手段３９０と、を備える。記憶手段３９０は、製版データ５９９と測色データ１９３とドライダウン補正関数１９９を記憶する。
【００３０】
ツール受信手段３１０は、印刷デバイスプロファイル１９７と校正デバイスプロファイル１９５とドライダウン補正関数１９９を受信する。
【００３１】
前記測色データ作成手段３２２は、製版データを取得して、印刷デバイスプロファイルを参照して、この製版データのＹＭＣＫ値に対応するＬＡＢ値を選択して、ＬＡＢ値を含む測色データ１９３を作成する。前記ドライダウン用測色データ作成手段３２４は、ドライダウン補正関数１９９を用いて、前記測色データ１９３をドライダウン用測色データ１９３に変換する。
前記ドライダウン用の製版データ作成手段３２６は、校正デバイスプロファイルを用いて、前記ドライダウン用測色データ１９３からドライダウン用の製版データを作成する。
【００３２】
このようにして、測色データ作成手段３２２と、ドライダウン用測色データ作成手段３２４と、ドライダウン用の製版データ作成手段３２６とを組み合わせることで、ドライダウン前の製版データ５９９から、ドライダウン発色をするドライダウン用の製版データ５９９を作成する。
【００３３】
校正紙作成手段３３０は、製版データ５９９を取得して、印刷用校正紙を、印刷する。また、校正紙作成手段３３０は、ドライダウン用の製版データ５９９を取得して、ドライダウン用校正紙３９９ｂを、印刷する。
【００３４】
ツール受信手段３１０と、測色データ作成手段３２２と、ドライダウン用測色データ作成手段３２４と、ドライダウン用の製版データ作成手段３２６とは、コンピュータプログラムである。記憶手段１９０は、メモリである。
【００３５】
図４は、本発明によるドライダウン対応ツール作成装置１００の処理概要を説明する図である。印刷装置７００は、カラーチャートデータ５９９を用いて、印刷カラーチャート７９９を印刷する(図４（１）)。ドライダウン対応型ドライダウン対応型校正装置は、カラーチャートデータ５９９を用いて、校正カラーチャート３９９を印刷する(同（２）)。
【００３６】
ドライダウン対応ツール作成装置１００は、印刷直後の印刷カラーチャート７９９と充分に時間が経過して（たとえば、１７時間後）ドライダウンした印刷カラーチャート７９９と校正カラーチャート３９９とを分光器１３０を用いて、測色して、測色データ１９３を作成する(同（３）)。
【００３７】
ドライダウン対応ツール作成装置１００は、印刷直後の印刷カラーチャート７９９の測色データ１９３から、印刷デバイスプロファイル１９７を作成する。ドライダウン対応ツール作成装置１００は、校正カラーチャート３９９の測色データ１９３から、校正デバイスプロファイル１９５を作成する。ドライダウン対応ツール作成装置１００は、印刷直後の印刷カラーチャート７９９の測色データ１９３と、ドライダウンした印刷カラーチャート７９９と、からドライダウン補正関数１９９を作成する(同（４）)。
【００３８】
図５と図６は、印刷カラーチャートの測定データの例である。図５は、印刷直後印刷カラーチャートの測色データ１９３である。図６は、印刷から１７時間後のドライダウンした印刷カラーチャートの測色データ１９３である。たとえば、図５の印刷直後印刷カラーチャートの測色データ１９３の「C」の値は、「Ｌ*＝52.92」、「ａ*＝ -36.04」、「 ｂ*＝ -51.59 」であって、図６の１７時間後のドライダウンした印刷カラーチャートの測色データ１９３の「C」の値は、「Ｌ*＝53.38 」、「 ａ*＝ -36.31」「 ｂ*＝ -51.01」であるものが例示されている。
【００３９】
図７は、ドライダウン補正関数の例である。ドライダウン補正関数は、印刷直後印刷物の測色値「Ｌ*ａ*ｂ*値」から、ドライダウンした印刷物の測色値「Ｌ*’ａ*’ｂ*’値」を算出する２次関数である。図７には、補完値Ｌ*’を算出するドライダウン補正関数ｆ（Ｌ*’）が、「 ｆ（Ｌ*’）= -0.3589 + 1.276087×Ｌ*  + 0.056779 × a*   -0.05104 × b* -0.0025 × (L*)2  - 0.00117 × (a*)2  - 0.00167 ×  (b*)2 - 0.00124 × L*×a* + 0.001696 × L*×b* + 0.000459 × a*×b* 」であるものが例示されている(図７（１）)。さらに、補完値ａ*’を算出するドライダウン補正関数ｆ（ａ*’）が、「ｆ（ａ*’）= -0.18963 - 0.00358 ×Ｌ*  + 0.977034 × a*   + 0.008911 × b*  - 0.00013 × (L*)2 + 0.000144 × (a*)2  + 0.000252 × (b*)2 + 0.000298 × L*×a* - 0.00016 × L*×b* - 0.00033 × a*×b* 」であるものが例示されている(同（２）)。また、補完値ｂ*’を算出するドライダウン補正関数ｆ（ｂ*’）が、「ｆ（ｂ*’）= 2.200389  - 0.25309 ×Ｌ*  + 0.012552 × a* + 1.051908 × b* + 0.002153 ×(L*)2 + 0.000942 ×(a*)2  + 0.001261 ×(b*)2  - 0.00027 × L*×a*  - 0.00163 × L*×b*  - 0.00036 × a*×b* 」であるものが例示されている(同（３）)。
【００４０】
なお、このドライダウン補正関数は、非線形の影響を考慮して、 ２次重回帰分析により算出した。（算出手順の詳細は、後述する。）また、補間精度は、２次重回帰分析式から算出したドライダウン補正関数で、実用上は問題ないが、より高い補間精度を求めたいときには、高次数の重回帰分析式からドライダウン補正関数を算出して、それを使用すればよい。
【００４１】
図１２は、重回帰分析（２次）によるドライダウン補正関数の算出手順の説明図である。
２次重回帰分析モデルの一般式は、「Ｙi=α0i+  α1i×Ｌ*i+  α2i× a*i+  α3i× b*i+  α4i×(Ｌ*i)2  + α5i(a*i)2  + α6i× (b*i)2  +  α7i×Ｌ*i× a*i +  α8i×Ｌ*i× b*i + α9i× a*i× b*i」である（図１２（１））。
【００４２】
ここで、「Ｙi 」は、「ドライダウンした印刷カラーチャートの各色の、Ｌ*‘の値、または、a*‘の値、または、 b*‘の値」である。「αi」は、「Ｌ*の値のときの補完係数、または、a* の値のときの補完係数、または、 b* の値のときの補完係数」である。「Ｌ*i」は、「印刷カラーチャートの各色の、Ｌ*の値」である。「ａ*i 」は、「 印刷カラーチャートの各色の、a*の値」である。「ｂ*i 」は、「 印刷カラーチャートの各色の、b*の値」である。
【００４３】
印刷カラーチャートの「Ｃ」色の測色値が、それぞれ、「Ｌ*i＝52.92」、「ａ*i＝-36.04」、「ｂ*i＝-51.59」であって、ドライダウンした印刷カラーチャートの「Ｃ」色の測色値が、「Ｌ*‘＝53.38」である。このとき、「(Ｌ*i)2＝2800.526」、 「(a*i)2＝1298.882」、 「(b*i)2＝2661.528」、「Ｌ*i× a*i＝-1907.24」、「Ｌ*i× b*i＝-2730.14」、「a*i× b*i＝1859.304」である（同（２））。
【００４４】
たとえば、上記の印刷カラーチャート「Ｃ」色の値を、２次重回帰分析モデルの一般式に、代入すると、「 （53.38 )= α0i+ α1i×（ 52.92)+  α2i×（ -36.04 ）+ α3i× （-51.59 ）+ α4i×(2800.526)  + α5i×（ 1298.882) + α6i× (2661.528) + α7i×（ -1907.24 ） + α8i×（ -2730.14 ） + α9i× （ 1859.304 ） 」となる（同（３））。
【００４５】
このようにして、印刷カラーチャートの全ての色の測色値を、２次重回帰分析モデルの一般式に、代入して、左辺と右辺の差の自乗式Ｇを作成して、これを、補完係数「α0i、 α1i、・・、 α9i」で、偏微分して、１０個の連立1次方程式を得る（同（４））。
【００４６】
ここで、左辺と右辺の差の自乗式Ｇの一般式は、次のようになる。「Ｇ＝総和 ｛Ｙi−（α0i+  α1i×Ｌ*i+ ・・ + α9i× a*i× b*i）｝2 」である。また、たとえば、自乗式Ｇを補完係数α0iで偏微分した1次方程式は、「 ΦＧ／Φ α0i＝−２ × 総和 ｛Ｙi−（α0i+  α1i×Ｌ*i+ ・・ + α9i× a*i× b*i）｝ 」である。
【００４７】
算出した補完係数は、「α0i＝ -0.3589」、「α1i＝ 1.276087」、「α2i＝ 0.056779」、「α3i＝ -0.05104」、「α4i＝ -0.0025」、「α5i＝ -0.00117」、「α6i＝-0.00167」、「α7i＝-0.00124 」、「α8i＝0.001696 」、「α9i＝0.000459 」となる（同（５））。
【００４８】
図８は、ドライダウン対応型校正装置３００のドライダウン用校正紙作成処理の流れの説明図である。ドライダウン対応型校正装置３００は、印刷デバイスプロファイルを用いて、製版データのＣＭＹＫ値をＬ*ａ*ｂ*値に変換する（図８（１））。ドライダウン補正関数を用いて、測色データ（Ｌ*ａ*ｂ*値）をドライダウン用の測色データ（Ｌ*’ａ*’ｂ*’値）に変換する（同（２））。校正デバイスプロファイルを参照して、ドライダウン用測色データ（Ｌ*’ａ*’ｂ*’値）を校正装置の発色特性に合わせたドライダウン用製版データ（ＣＭＹＫ値）に変換する（同（３））。校正装置の発色特性に合わせたドライダウン用製版データ（ＣＭＹＫ値）を用いて、校正紙を作成する（同（４））。
【００４９】
印刷デバイスプロファイル７９１は、印刷機指定情報（たとえば、印刷機名）に関連づけられたファイルであって、網点情報（たとえば、Ｙ、Ｍ、Ｃ、Ｋの４色の網点面積率の組合せ）と測色情報（たとえば、Ｌ*Ａ*Ｂ*値）とを対応付けた表形式のデバイスプロファイルデータを記録する。なお、Ｙは、黄色、Ｍは、紅色、Ｃは、藍色、Ｋは、墨色（黒色）をそれぞれ意味する。
【００５０】
図９は、目標色カラーチャート７９９の説明図である。目標色カラーチャート７９９は、目標色カラーパッチ番号７９９ａを関連付けた目標色カラーパッチ７９９ｂから構成されている。目標色カラーパッチ７９９ｂは、網点１００％の基本色を組み合わせた目標色カラーパッチデータを印刷したものである。そこで、たとえば、基本色がＹ、Ｍ、Ｃ、Ｋの場合には、目標色カラーパッチ７９９ｂの色は、単色で構成する目標色カラーパッチが４色と、２色で構成する目標色カラーパッチが６色と、３色で構成する目標色カラーパッチが４色と、４色で構成する目標色カラーパッチが１色と無色（用紙色）が１色の１６色となる。
【００５１】
ちなみに、この１６色の基本色の組み合わせ方は、単色の組み合わせが“Y100％＋M0％＋C0％＋K0％”、“M100％＋Y0％＋C0％＋K0％”、“C100％＋Y0％＋M0％＋K0％”、“K100％＋Y0％＋M0％＋C0％”の構成であって、２色の組み合わせが“Y100％＋M100％＋C0％＋K0％”、“Y100％＋C100％＋M0％＋K0％”、“Y100％＋K100％＋M0％＋C0％”、“M100％＋C100％＋Y0％＋K0％”、“M100％＋K100％＋Y0％＋C0％”、“C100％＋K100％＋Y0％＋M0％”の構成であって、３色の組み合わせが“Y100％＋M100％＋C100％＋K0％”、“Y100％＋M100％＋K100％＋C0％”、“Y100％＋C100％＋K100％＋M0％”、“M100％＋C100％＋K100％＋Y0％”の構成であって、４色の組み合わせが“Y100％＋M100％＋C100％＋K100％”であって、無色の組み合わせが“Y0％＋M0％＋C0％＋K0％”である。
【００５２】
ただし、たとえば、“Y100％”とは、網点１００％の基本色Ｙを表している。“Y0％”とは、基本色Ｙが存在しないことを表している。
【００５３】
図１０は、印刷デバイスプロファイル７９１のＣＭＹＫ値−Ｌ*Ａ*Ｂ*値変換テーブルの構造図である。ＣＭＹＫ値−Ｌ*Ａ*Ｂ*値変換テーブル１９７ａは、製版データの網点情報（ＣＭＹＫ値）をデバイスに依存しない測色値情報（Ｌ*Ａ*Ｂ*値）に変換する。ＣＭＹＫ値−Ｌ*Ａ*Ｂ*値変換テーブル１９７ａは、“データ識別”と“網点情報”と“測色情報”とを対応付けた表形式のデータである。“データ識別”は、ＣＭＹＫ値−Ｌ*Ａ*Ｂ*値変換テーブル１９７ａの各データを識別するユニークな番号であり、“網点情報”は、製版データのＹＭＣＫ値（網点面積値）であり、“測色情報”は、デバイスに依存しない測色値（Ｌ*Ａ*Ｂ*値）である。
【００５４】
たとえば、“データ識別＝841”の印刷デバイスプロファイルのデータは、“網点情報”が、“C=1.0000、M=1.0000、Y=0.0000、K=0.0000”である“測色情報”は、“Ｌ*値＝22.670037、ａ*値＝19.625000、ｂ*値＝-48.503906”である。
【００５５】
図１１は、校正デバイスプロファイル１９５のＬ*Ａ*Ｂ*値−ＣＭＹＫ値変換テーブル１９５ｂの構造図である。Ｌ*Ａ*Ｂ値−ＣＭＹＫ値変換テーブル１９５ｂは、デバイスに依存しない測色値（Ｌ*Ａ*Ｂ*値）をドライダウン対応型校正装置３００の発色特性に合わせた網点情報（ＣＭＹＫ値）に変換する。Ｌ*Ａ*Ｂ*値−ＣＭＹＫ値変換テーブル１９５ｂは、“データ識別”と“測色情報”と“網点情報”とを対応付けた表形式のデータである。
各項目の定義は、ＣＭＹＫ値−Ｌ*Ａ*Ｂ*値変換テーブル１９７ａの各項目の定義と同じである。
【００５６】
たとえば、“データ識別＝2708”の印刷デバイスプロファイルのデータは、 “測色情報” が “Ｌ*値＝49.476103、ａ*値＝-72.085938、ｂ*値＝28.070312”である“網点情報” は、 “C=0.9218、M=0.0000、Y=0.9467、K=0.0000”である。
【００５７】
以上詳しく説明したように、本願発明によれば、ＩＣＣプロファイルを用いたドライダウン対応型校正装置を用いて、ドライダウン用校正紙を、容易簡便に、作成することが可能となった。
【図面の簡単な説明】
【００５８】
【図１】ドライダウンする印刷物の校正をするドライダウン対応型校正システムの概要
【図２】ドライダウン対応型校正システムの大まかな処理の流れ
【図３】本発明によるドライダウン対応ツール作成装置の詳細な構成図
【図４】本発明によるドライダウン対応ツール作成装置１００の概要
【図５】印刷直後印刷カラーチャートの測色データ
【図６】印刷から17時間後のドライダウンした印刷カラーチャートの測色データ
【図７】ドライダウン補正関数の説明図
【図８】ドライダウン対応型校正装置のドライダウン用校正紙作成処理の流れ
【図９】目標カラーチャートの例
【図１０】印刷デバイスプロファイル７９１のＣＭＹＫ値−Ｌ*Ａ*Ｂ*値変換テーブル構造図
【図１１】校正デバイスプロファイル１９５のＬ*Ａ*Ｂ*値−ＣＭＹＫ値変換テーブル構造図
【図１２】重回帰分析によるドライダウン補正関数の算出手順の説明図
【符号の説明】
【００５９】
１  ドライダウン対応型校正システム
１００  ドライダウン対応ツール作成装置
１３０  分光測定手段
１１０  デバイスプロファイル作成手段
１２０  ドライダウン補正関数作成手段
１７０  ツール送信手段
１９０  記憶手段
１９３  測色データ
１９５  校正デバイスプロファイル
１９７  印刷デバイスプロファイル
１９７ａ  ＣＭＹＫ値−Ｌ*Ａ*Ｂ*値変換テーブル
１９５ｂ  Ｌ*Ａ*Ｂ*値−ＣＭＹＫ値変換テーブル
１９９  ドライダウン補正関数
３００  ドライダウン対応型校正装置
３１０  ツール受信手段
３２２  測色データ作成手段
３２４  ドライダウン用測色データ作成手段
３２６  ドライダウン用の製版データ作成手段
３９０  記憶手段
３９９ａ  印刷校正紙
３９９ｂ  ドライダウン用校正紙
５００  ＤＴＰ装置
５９９  製版データ
７００  印刷装置
７９１  印刷デバイスプロファイル
７９９  印刷物、印刷カラーチャート
７９９ａ  目標色カラーパッチ番号
７９９ｂ  目標色カラーパッチ
９００  ネットワーク
【図１】
2007176015.tif 000003
【図２】
2007176015.tif 000004
【図３】
2007176015.tif 000005
【図４】
2007176015.tif 000006
【図５】
2007176015.tif 000007
【図６】
2007176015.tif 000008
【図７】
2007176015.tif 000009
【図８】
2007176015.tif 000010
【図９】
2007176015.tif 000011
【図１０】
2007176015.tif 000012
【図１１】
2007176015.tif 000013
【図１２】
2007176015.tif 000014